(57)【要約】  カフ１内の圧力を検出するカフ圧検出手段（２）、カフ圧検出手段（２）の検出信号に基づいてカフ圧の変動速度を算出するカフ圧変動速度算出手段（１４）、カフ圧検出手段（２）により所定の抽出周期で繰り返し検出される検出信号のうちの所定回数離れた抽出周期で検出されたカフ圧の差を算出し、その算出されたカフ圧の差と基準値とを比較することによってカフ圧が脈波成分であるか否かを判定する脈波判定手段（１６）、およびカフ圧変動速度算出手段（１４）により算出されたカフ圧の変動速度に応じて基準値を変更する基準値変更手段（１５）を備える。脈波判定手段（１６）は、基準値の変更直後の１拍または所定時間についてのみ、変更前の基準値を適用することにより、基準値の変更直後でもカフ圧の検出を可能とする。
2008102852.tif 000002
【特許請求の範囲】
【請求項１】
カフを加圧または減圧する過程において、所定間隔離れたカフ圧の差を算出し、その算出されたカフ圧の差と基準値とを比較することによって脈波か否かを判定する電子血圧計において、
カフ圧の変動速度に応じて前記基準値を変更することを特徴とする電子血圧計。
【請求項２】
カフと、前記カフを加圧または減圧するカフ圧制御手段と、前記カフ内の圧力を検出するカフ圧検出手段と、前記カフ圧制御手段により前記カフ内の圧力を加圧または減圧する過程において、所定間隔離れたカフ圧の差を算出し、その算出されたカフ圧の差と基準値とを比較することによってカフ圧が脈波成分であるか否かを判定する脈波判定手段と、を備える電子血圧計において、
前記カフ圧検出手段から出力される検出信号に基づいてカフ圧の変動速度を算出するカフ圧変動速度算出手段を有し、該カフ圧変動速度算出手段により算出されたカフ圧の変動速度に応じて前記基準値を変更することを特徴とする電子血圧計。
【請求項３】
前記脈波判定手段は、前記カフ圧検出手段により所定の抽出周期で繰り返し検出される検出信号のうちの所定回数離れた抽出周期で検出されたカフ圧の差を算出し、その算出されたカフ圧の差と基準値とを比較することによってカフ圧が脈波成分であるか否かを判定することを特徴とする請求項２に記載の電子血圧計。
【請求項４】
前記カフ内の圧力を減圧する過程において脈波成分を抽出する電子血圧計であって、前記カフ圧制御手段は、前記カフ圧検出手段により検出されたカフ圧に応じて、カフ圧の減圧速度を徐々に遅くするように制御することを特徴とする請求項３に記載の電子血圧計。
【請求項５】
カフ圧の減圧速度の低下に伴って前記基準値の設定が変更されたときは、その変更直後の１拍についてのみ、変更前の基準値を適用するようにしたことを特徴とする請求項４に記載の電子血圧計。
【請求項６】
カフ圧の減圧速度の低下に伴って前記基準値の設定が変更されたときは、その変更直後の所定時間についてのみ、変更前の基準値を適用するようにしたことを特徴とする請求項４に記載の電子血圧計。
【請求項７】
変更前の基準値を適用するようにするのは、１拍以上の脈波を検出した後とすることを特徴とする請求項５又は６に記載の電子血圧計。
【請求項８】
カフと、前記カフ内を加圧または減圧するカフ圧制御手段と、前記カフ内の圧力を検出するカフ圧検出手段と、を備え、前記カフ圧制御手段により前記カフ内の圧力を減圧する過程において脈波成分を抽出し、その抽出された脈波成分に基づいて血圧値を決定する電子血圧計において、
前記カフを加圧した後に減圧する過程において、前記カフ圧制御手段は、前記カフ圧検出手段により検出されたカフ圧に応じて、カフ圧の減圧速度を徐々に遅くするように制御することを特徴とする電子血圧計。
【発明の詳細な説明】
【技術分野】
【０００１】
この発明は、電子血圧計に関し、特に、所定時間離れて抽出されたカフ圧の差と基準値を比較することによってカフ圧が脈波成分であるか否かを判定する電子血圧計に関する。
【背景技術】
【０００２】
オシロメトリック式電子血圧計は、生体にカフを巻きつけ、カフ内の圧力変動からカフ圧に重畳された脈波成分を抽出し、抽出された脈波から脈波振幅を算出し、この脈波振幅から最高血圧と最低血圧を決定する構成となっている。脈波成分を抽出する際に、体動やその他の原因によるノイズが発生すると、そのノイズも脈波成分と一緒にカフ圧に重畳されてしまう。このような体動等によるノイズを除去するためにフィルタを用いることが考えられる。しかし、微小ノイズを除去するためには、高性能なバンドパスフィルタが必要となるため、電子血圧計が高価になってしまう。【０００３】
そこで、バンドパスフィルタを用いずに微小ノイズを除去するようにした電子血圧計が提案されている。例えば、カフ圧を減圧する減圧過程におけるカフ圧を検出し、検出された複数のカフ圧のうち、所定回数離れた抽出周期でカフ圧の差を算出し、算出されたカフ圧の差からカフ圧が増加傾向にあるか、または減少傾向にあるかを判定し、カフ圧が増加傾向にあると判定されたときの抽出周期の中で最小のカフ圧を脈波の開始圧力値とし、カフ圧が減少傾向にあると判定されたときの抽出周期の中で最大のカフ圧を脈波の最大圧力値とし、最大圧力値と開始圧力値との差を脈波振幅とすることによって、微小ノイズを除去するようにした電子血圧計が公知である（例えば、下記特許文献１参照）。【０００４】
ところで、オシロメトリック式電子血圧計では、動作時にカフで生体を圧迫するため、圧迫されている時間が長くなると、生体の、カフが巻きつけられた部位（例えば、上腕）が鬱血したり、あるいは、鬱血に至らなくても被験者に不快感を与えるおそれがある。そのため、可能な限り圧迫時間を短くする試みがなされている。その一つとして、カフ圧の減圧速度を速めることが試みられている。【０００５】
【特許文献１】特許第３７１８００９号公報
【発明の開示】
【発明が解決しようとする課題】
【０００６】
しかしながら、上記特許文献１に開示された電子血圧計では、カフ圧の減圧速度を速めると、脈波成分を正常に抽出することができないという問題点がある。【０００７】
この発明は、上述した従来技術による問題点を解消するため、所定時間離れて抽出されたカフ圧の差に基づいて脈波成分を検出することによって、バンドパスフィルタを用いずに微小ノイズを除去する電子血圧計において、カフ圧の変動速度を変化させても、その変化に応じて脈波成分を抽出することができる電子血圧計を提供することを目的とする。
【課題を解決するための手段】
【０００８】
上述した課題を解決し、目的を達成するため、請求項１の発明にかかる電子血圧計は、カフを加圧または減圧する過程において、所定間隔離れたカフ圧の差を算出し、その算出されたカフ圧の差と基準値とを比較することによって脈波か否かを判定する電子血圧計において、カフ圧の変動速度に応じて前記基準値を変更することを特徴とする。【０００９】
また、請求項２の発明にかかる電子血圧計は、カフと、前記カフを加圧または減圧するカフ圧制御手段と、前記カフ内の圧力を検出するカフ圧検出手段と、前記カフ圧制御手段により前記カフ内の圧力を加圧または減圧する過程において、所定間隔離れたカフ圧の差を算出し、その算出されたカフ圧の差と基準値とを比較することによってカフ圧が脈波成分であるか否かを判定する脈波判定手段と、を備える電子血圧計において、前記カフ圧検出手段から出力される検出信号に基づいてカフ圧の変動速度を算出するカフ圧変動速度算出手段を有し、該カフ圧変動速度算出手段により算出されたカフ圧の変動速度に応じて前記基準値を変更することを特徴とする。【００１０】
また、請求項３の発明にかかる電子血圧計は、請求項２に記載の発明において、前記脈波判定手段は、前記カフ圧検出手段により所定の抽出周期で繰り返し検出される検出信号のうちの所定回数離れた抽出周期で検出されたカフ圧の差を算出し、その算出されたカフ圧の差と基準値とを比較することによってカフ圧が脈波成分であるか否かを判定することを特徴とする。【００１１】
また、請求項４の発明にかかる電子血圧計は、請求項３に記載の発明において、前記カフ内の圧力を減圧する過程において脈波成分を抽出する電子血圧計であって、前記カフ圧制御手段は、前記カフ圧検出手段により検出されたカフ圧に応じて、カフ圧の減圧速度を徐々に遅くするように制御することを特徴とする。【００１２】
また、請求項５の発明にかかる電子血圧計は、請求項４に記載の発明において、カフ圧の減圧速度の低下に伴って前記基準値の設定が変更されたときは、その変更直後の１拍についてのみ、変更前の基準値を適用するようにしたことを特徴とする。【００１３】
また、請求項６の発明にかかる電子血圧計は、請求項４に記載の発明において、カフ圧の減圧速度の低下に伴って前記基準値の設定が変更されたときは、その変更直後の所定時間についてのみ、変更前の基準値を適用するようにしたことを特徴とする。【００１４】
また、請求項７の発明にかかる電子血圧計は、請求項５又は６に記載の発明において、変更前の基準値を適用するようにするのは、１拍以上の脈波を検出した後とすることを特徴とする。【００１５】
また、請求項８の発明にかかる電子血圧計は、カフと、前記カフ内を加圧または減圧するカフ圧制御手段と、前記カフ内の圧力を検出するカフ圧検出手段と、を備え、前記カフ圧制御手段により前記カフ内の圧力を減圧する過程において脈波成分を抽出し、その抽出された脈波成分に基づいて血圧値を決定する電子血圧計において、前記カフを加圧した後に減圧する過程において、前記カフ圧制御手段は、前記カフ圧検出手段により検出されたカフ圧に応じて、カフ圧の減圧速度を徐々に遅くするように制御することを特徴とする。【００１６】
この発明によれば、カフ圧検出手段から出力される検出信号からカフ圧の変動速度を算出するカフ圧変動速度算出手段を有し、このカフ圧変動速度算出手段により算出されたカフ圧の変動速度に応じて基準値を変更するので、変動速度を変化させたときに、それに伴い判定に要する基準値も変更される。また、基準値の変更直後の１拍または所定時間についてのみ、変更前の基準値を適用することにより、基準値の変更直後でも脈波を検出することができる。従って、カフ圧の変動速度が変化しても脈波成分を正常に抽出でき、その結果として、血圧測定にかかる時間を短縮することができる。
【発明の効果】
【００１７】
本発明にかかる電子血圧計によれば、カフ圧の変動速度を変化させても、その変化に応じて脈波成分を抽出することができるという効果を奏する。
【図面の簡単な説明】
【００１８】
【図１】図１は、この発明の実施の形態にかかる電子血圧計の全体構成を示すブロック図である。
【図２】図２は、この発明の実施の形態にかかる電子血圧計の基準値設定テーブルの一例を示す図表である。
【図３】図３は、この発明の実施の形態にかかる電子血圧計の血圧測定手順を示すフローチャートである。
【図４】図４は、この発明の実施の形態にかかる電子血圧計の血圧測定手順を示すフローチャートである。
【図５】図５は、この発明の実施の形態にかかる電子血圧計の血圧測定手順を示すフローチャートである。
【図６】図６は、この発明の実施の形態にかかる電子血圧計の血圧測定手順を示すフローチャートである。
【図７】図７は、この発明の実施の形態にかかる電子血圧計の脈波判定処理を説明する説明図である。
【符号の説明】
【００１９】
１  カフ
２  カフ圧検出手段
３  加圧手段
４  減圧手段
１４  カフ圧変動速度算出手段
１５  基準値変更手段
１６  脈波判定手段
【発明を実施するための最良の形態】
【００２０】
以下に添付図面を参照して、この発明にかかる電子血圧計の好適な実施の形態を詳細に説明する。【００２１】
図１は、この発明の実施の形態にかかる電子血圧計の全体構成を示すブロック図である。図１に示すように、電子血圧計は、カフ１、カフ圧検出手段２、加圧手段３、減圧手段４、表示手段５、操作手段６およびマイクロコンピュータ（以下、マイコンとする）７を備えている。カフ１と、カフ圧検出手段２、加圧手段３および減圧手段４とは、チューブ８により接続されている。【００２２】
カフ圧検出手段２は、カフ１の圧力を検出する。カフ圧検出手段２は、例えば、圧力センサにより構成されている。加圧手段３は、マイコン７の出力信号に基づいて、カフ１を加圧する。加圧手段３は、例えば、空気等の流体（以下、単に空気等とする）をカフ１へ送り出すポンプにより構成されている。【００２３】
減圧手段４は、マイコン７の出力信号に基づいて、カフ１の圧力を降下させる。減圧手段４は、例えば、カフ１内の空気等を微速および急速に排気する排気弁により構成されている。この排気弁は、血圧測定時に微速排気が可能な開度で開き、カフ１を徐々に減圧する。また、排気弁は、血圧測定終了時に全開となり、カフ１を急速に減圧する。なお、減圧手段４は、カフ１内の空気等を微速に排気する微速排気弁と、急速に排気する急速排気弁を有する構成となっていてもよい。【００２４】
表示手段５は、マイコン７により決定された最高血圧値および最低血圧値を表示する。表示手段５は、例えば、液晶表示パネルと、その液晶表示パネルの表示制御を行う制御手段により構成されている。表示手段５は、脈拍数や時間を表示するように構成されていてもよい。【００２５】
操作手段６は、血圧測定時に被験者により操作される各種ボタンやスイッチ等を有する。例えば、電源ボタンを兼ねた測定開始ボタンや、被験者の識別子を入力するためのユーザＩＤボタンや、加圧値を設定するためのスイッチや、測定結果を記憶させるためのメモリーボタンなどが設けられている。【００２６】
マイコン７は、加圧制御手段１１、減圧制御手段１２、血圧値決定手段１３、カフ圧変動速度算出手段１４、基準値変更手段１５および脈波判定手段１６を備えている。マイコン７を構成するこれらの手段は、マイコン７が血圧測定プログラムを実行することにより実現される。加圧制御手段１１および減圧制御手段１２は、カフ圧制御手段を構成する。【００２７】
加圧制御手段１１は、カフ圧検出手段２により検出されたカフ１の圧力値に基づいて、加圧手段３を構成するポンプの駆動制御を行う。例えば、カフ１の加圧中にカフ１の圧力が所定の圧力に達すると、加圧制御手段１１は、ポンプを停止させる。カフ圧変動速度算出手段１４は、カフ圧検出手段２から出力されるカフ圧の検出信号に基づいてカフ圧の減圧速度を算出する。【００２８】
減圧制御手段１２は、カフ１の加圧終了後、排気弁を開いてカフ１から空気等を微速排気させる。その際、減圧制御手段１２は、カフ圧変動速度算出手段１４により算出された減圧速度が目標減圧速度になるように、排気弁の開度の制御を行う。また、減圧制御手段１２は、血圧測定終了時に、血圧値決定手段１３からの通知に応答して、排気弁を全開にする。【００２９】
基準値変更手段１５は、カフ圧変動速度算出手段１４により算出された減圧速度に基づいて、例えば、後述するように、基準値設定テーブル（図２参照）に基づいて、カフ圧が脈波成分であるか否かを判定するための基準値を変更する。この基準値設定テーブルは、マイコン７に内蔵された不揮発性のメモリに記憶されていてもよいし、マイコン７が実行する血圧測定プログラムに記述されていてもよい。【００３０】
脈波判定手段１６は、カフ１の微速減圧時に、カフ圧検出手段２により所定の抽出周期で繰り返し検出される検出信号のうちの所定回数離れた抽出周期で検出されたカフ圧の差を算出する。例えば、カフ圧検出手段２は、１０ｍｓの抽出周期で繰り返しカフ圧を検出し、脈波判定手段１６は、１０ｍｓごとに検出されるカフ圧の検出信号のうち、５回離れた抽出周期で検出されたカフ圧の差を算出する。この場合、脈波判定手段１６は、１０ｍｓごとに、５０ｍｓ離れて検出された２つのカフ圧の差を算出する。【００３１】
また、脈波判定手段１６は、算出されたカフ圧の差と前記基準値とを比較することによってカフ圧が脈波成分であるか否かを判定する。その際、脈波判定手段１６は、１拍以上の脈波を検出した後、前記基準値が変更されたときは、その変更直後の１拍についてのみ、変更前の基準値を適用して、脈波成分の判定を行う。【００３２】
血圧値決定手段１３は、脈波判定手段１６により検出された脈波成分に基づいて、例えば、周知のオシロメトリック法による血圧決定アルゴリズムにより、最高血圧値および最低血圧値を決定する。決定された血圧値は、表示手段５に表示される。また、血圧値決定手段１３は、血圧値を決定すると、排気弁を全開にさせるために、減圧制御手段１２に測定終了を通知する。【００３３】
図２は、基準値設定テーブルの一例を示す図表である。図２に示すように、特に限定しないが、例えば、カフ１の減圧速度が７．２ｍｍＨｇ／ｓ以上であるときの基準値は、−０．２ｍｍＨｇである。カフ１の減圧速度が７．２ｍｍＨｇ／ｓ未満で、かつ５．０ｍｍＨｇ／ｓ以上であるときの基準値は、−０．１ｍｍＨｇである。カフ１の減圧速度が５．０ｍｍＨｇ／ｓ未満であるときの基準値は、０．０ｍｍＨｇである。なお、基準値を設定する際の減圧速度の臨界値、および基準値は、図２に示す値に限らないし、また、基準値を２段階または４段階以上に分けてもよい。【００３４】
図３〜図６は、この発明の実施の形態にかかる電子血圧計の血圧測定手順を示すフローチャートである。また、図７は、この発明の実施の形態にかかる電子血圧計の脈波判定処理を説明する説明図である。ここでは、カフ圧の抽出周期を１０ｍｓとし、５回離れた抽出周期で検出されたカフ圧の差を算出する場合を例にして説明する。図３に示すように、被験者の上腕等にカフ１が巻かれ、操作手段６の測定開始ボタン等が被験者により操作されて血圧測定処理が開始されると、まず、加圧制御手段１１は、加圧手段３を駆動してカフ１の加圧を開始する（ステップＳ１）。【００３５】
そして、カフ１の圧力が加圧停止圧値に達したか否かを判断する（ステップＳ２）。加圧停止圧値に達しなければ（ステップＳ２：Ｎｏ）、加圧制御手段１１は、加圧手段３によるカフ１の加圧を続ける。加圧停止圧値に達すれば（ステップＳ２：Ｙｅｓ）、加圧制御手段１１は、加圧手段３による加圧を終了する（ステップＳ３）。【００３６】
次いで、脈波判定手段１６は、脈波認定フラグＪ、初脈波フラグＦＷおよび減圧速度変更脈波フラグＦをリセットし、それらの値をすべて０にする。また、脈波判定手段１６は、カウンタの値Ｃを０にし、カフ圧検出手段２により検出されたカフ圧のデータを格納するためのメモリ（０）、メモリ（１）、メモリ（２）、メモリ（３）、メモリ（４）およびメモリ（５）をリセットする（ステップＳ４）。これらのフラグ、カウンタおよびメモリは、マイコン７に設けられている。【００３７】
次いで、カフ圧変動速度算出手段１４は、加圧停止圧（カフ圧Ｐ）から現在の減圧速度ＶＰを算出する。基準値変更手段１５は、現在の減圧速度ＶＰに応じた基準値ＳＰと脈終了判断基準値ＳＥを算出する。ここでは、ＶＰ、ＳＰおよびＳＥの各値は、仮の値である。そして、減圧制御手段１２は、減圧手段４による減圧を開始する。同時に、脈波判定手段１６は、減圧タイマの値ｔ１を０からスタートさせる（ステップＳ５）。この減圧タイマは、マイコン７に設けられている。【００３８】
次いで、脈波判定手段１６は、減圧タイマの値ｔ１に基づいて１０ｍｓ（抽出周期）が経過したか否かを判断する（ステップＳ６）。１０ｍｓが経過しなければ（ステップＳ６：Ｎｏ）、経過するまで待つ。１０ｍｓが経過した時点で（ステップＳ６：Ｙｅｓ）、カフ圧検出手段２は、カフ圧Ｐを検出する（ステップＳ７）。次いで、カフ圧変動速度算出手段１４は、周知の方法により、カフ圧Ｐから目標とする減圧速度Ｖを算出する（ステップＳ８）。減圧手段４である排気弁は、カフ１の圧力が高圧であるときには細かい制御が可能であるが、カフ１の圧力が低圧になるに従い細かい制御が難しくなる。これは、カフ１の圧力が低圧になると、いくら排気弁を開いてもカフ１内の空気等がカフ１から思うように排出されないためである。このため、本発明の減圧制御手段１２では、（１）５０ｍｍＨｇ未満、（２）５０ｍｍＨｇ以上１５０ｍｍＨｇ未満、（３）１５０ｍｍＨｇ以上の３つの領域に分け、カフ１の圧力がこれら３つの領域のどこに位置しているかで目標とするカフ１の減圧速度Ｖを算出している。前述の如く、カフ１の圧力が高圧であるときには細かい制御が可能であるが、カフ１の圧力が低いときには細かい減圧制御ができなくなるため、減圧制御手段１２は、カフ１の圧力が高圧の領域（３）にあるときには、減圧速度を速く、かつ、定速となるように制御し、カフ１の圧力が低圧の領域（１）にあるときには、減圧速度を遅く、かつ、定速となるように制御する。一方、カフ１の圧力が領域（２）にあるときには、低圧になるに従い減圧速度が遅くなるような連続関数的減圧速度となるように制御する。従って、血圧測定時において、カフ１の減圧速度は、徐々に遅くなるように制御されることになる。【００３９】
次いで、カフ圧変動速度算出手段１４は、検出したカフ圧Ｐから現在の減圧速度ＶＰを算出する。（ステップＳ９）。そして、基準値変更手段１５は、ステップＳ８で求めた減圧速度Ｖから基準値Ｓと脈終了判断基準値ＳＥを算出する（ステップＳ１０）。さらに、脈波判定手段１６は、ステップＳ１０で求めた基準値Ｓが現在の基準値ＳＰに等しくないか否かを判断する（ステップＳ１１）。なお、ステップＳ１０で現在の減圧速度ＶＰを用いて基準値Ｓを算出してもよい。【００４０】
ＳとＳＰが等しければ（ステップＳ１１：Ｎｏ）、ステップＳ１３へ進む。ＳとＳＰが等しくなければ（ステップＳ１１：Ｙｅｓ）、脈波判定手段１６は、現在の基準値ＳＰを変更前の基準値ＳＢとし、ステップＳ１０で求めた基準値Ｓを新たに現在の基準値ＳＰとし、減圧速度変更脈波フラグＦの値を１にする（ステップＳ１２）。そして、ステップＳ１３へ進む。ステップＳ１３では、減圧制御手段１２は、現在の減圧速度ＶＰが、ステップ８で求めた減圧速度Ｖとなるようにカフ１の減圧制御を行いステップＳ１４へ進む。【００４１】
ステップＳ１４では、脈波判定手段１６は、メモリ（０）、メモリ（１）、メモリ（２）、メモリ（３）およびメモリ（４）に格納されたデータを、順次シフトして、メモリ（１）、メモリ（２）、メモリ（３）、メモリ（４）およびメモリ（５）に格納し直す（ステップＳ１４）。次いで、脈波判定手段１６は、メモリ（０）に、ステップＳ７で検出したカフ圧Ｐのデータを格納する（ステップＳ１５）。【００４２】
次いで、脈波判定手段１６は、メモリ（５）に格納されているデータが０でないか否かを判断する（ステップＳ１６）。メモリ（５）の格納データが０であれば（ステップＳ１６：Ｎｏ）、カフ１の減圧開始後、６個目のカフ圧の抽出タイミングに達していないので、ステップＳ６に戻る。メモリ（５）の格納データが０でなければ（ステップＳ１６：Ｙｅｓ）、脈波判定手段１６は、減圧速度変更脈波フラグＦの値が１であり、かつ、初脈波フラグＦＷの値が１であるか否かを判断する（ステップＳ１７）。初脈波の場合は、変更前の基準値が存在しない場合もあるため、ステップＳ１０で算出された直近の基準値ＳＰを最終的な基準値ＳＣとする。このような理由から、ステップＳ１７の判断に初脈波であるかどうかの判断を加えている。【００４３】
脈波判定手段１６は、ＦとＦＷの値がともに１であれば（ステップＳ１７：Ｙｅｓ）、変更前の基準値ＳＢを最終的な基準値ＳＣとし（ステップＳ１８）、ＦおよびＦＷのうちの少なくとも一方の値が０であれば（ステップＳ１７：Ｎｏ）、現在の基準値ＳＰを最終的な基準値ＳＣとする（ステップＳ１９）。最終的な基準値ＳＣが決まったら、脈波判定手段１６は、メモリ（０）に格納されているカフ圧のデータからメモリ（５）に格納されているカフ圧のデータを減算し、その値をＸとする（ステップＳ２０）。【００４４】
次いで、脈波判定手段１６は、ステップＳ２０で算出したＸが最終的な基準値ＳＣよりも大きいか否かを判断する（ステップＳ２１）。ＸがＳＣ以下であれば（ステップＳ２１：Ｎｏ）、ステップＳ３０へ進む。ＸがＳＣよりも大きければ（ステップＳ２１：Ｙｅｓ）、ステップＳ２２へ進む。図７に示す例では、Ｍ１で示す線分が、ＸがＳＣよりも大きい場合である。【００４５】
ここで、図７において、白丸印は、所定の抽出周期（１０ｍｓ）ごとにカフ圧検出手段２により検出されるカフ圧を示す。また、Ｍ１、Ｍ２、Ｍ３、Ｍ４およびＭ１０で示す各線分は、各抽出周期におけるメモリ（０）の格納データ(線分の右端)とメモリ（５）の格納データ(線分の左端)を結ぶ線分である。なお、ＸもＳＣもＰＳを基準とするマイナスの値である（図７参照）。ＰＳは、脈の開始点の圧力である。【００４６】
ステップＳ２２では、脈波判定手段１６は、カウンタの値Ｃが０であるか否かを判断する（ステップＳ２２）。このカウンタは、ステップＳ２１でＸがＳＣよりも大きい場合（Ｙｅｓの場合）の回数を計数する。Ｃが０でなければ（ステップＳ２２：Ｎｏ）、ステップＳ２４へ進む。Ｃが０であれば（ステップＳ２２：Ｙｅｓ）、脈波判定手段１６は、メモリ（５）の格納データを脈の開始点の圧力ＰＳとする。また、脈波判定手段１６は、減圧タイマの値ｔ１から５０ｍｓを減算することによって、脈の開始点の時刻ｔｓを算出する。そして、脈波判定手段１６は、このときの脈波高Ｈの最大値Ｈｍａｘを０として（ステップＳ２３）、ステップＳ２４へ進む。【００４７】
ステップＳ２４では、脈波判定手段１６は、脈波高Ｈを算出する。脈波高Ｈは、次の式により求められる（図７参照）。
Ｈ＝［メモリ（０）の格納値］−｛ＰＳ−（ｔ１−ｔｓ）・Ｖ｝【００４８】
次いで、脈波判定手段１６は、ステップＳ２４で算出された脈波高Ｈが脈波高の最大値Ｈｍａｘよりも大きいか否かを判断する（ステップＳ２５）。ＨがＨｍａｘ以下であれば（ステップＳ２５：Ｎｏ）、ステップＳ２７へ進む。ＨがＨｍａｘよりも大きければ（ステップＳ２５：Ｙｅｓ）、脈波判定手段１６は、脈波高の最大値Ｈｍａｘを脈波高Ｈで更新し（ステップＳ２６）、ステップＳ２７へ進む。【００４９】
ステップＳ２７では、脈波判定手段１６は、カウンタの値Ｃをインクリメントし、Ｃ＋１とする（ステップＳ２７）。次いで、脈波判定手段１６は、カウンタの値Ｃが所定の値Ｂ以上であるか否かを判断する（ステップＳ２８）。このＢの値は、被験者の血圧に応じて設定されるようになっていてもよい。例えば、Ｂの値を、低血圧の人に対しては２とし、通常の血圧の人に対しては４としてもよい。【００５０】
ＣがＢよりも小さければ（ステップＳ２８：Ｎｏ）、ステップＳ６に戻る。ＣがＢ以上であれば（ステップＳ２８：Ｙｅｓ）、脈波判定手段１６は、脈として認定し、脈波認定フラグＪの値を１とする（ステップＳ２９）。そして、ステップＳ６に戻る。【００５１】
ステップＳ２１で、ステップＳ２０で算出したＸが最終的な基準値ＳＣ以下であれば（ステップＳ２１：Ｎｏ）、ステップＳ３０へ進むとした。ステップＳ３０では、脈波判定手段１６は、Ｘが脈終了判断基準値ＳＥ以下であるか否かを判断する（ステップＳ３０）。ＸがＳＥよりも大きければ（ステップＳ３０：Ｎｏ）、脈波判定手段１６は、脈波認定フラグＪの値が１であるか否かを判断する（ステップＳ３１）。Ｊの値が０であれば（ステップＳ３１：Ｎｏ）、脈波判定手段１６は、カウンタの値Ｃを０にして（ステップＳ３３）、ステップＳ６に戻る。Ｊの値が１であれば（ステップＳ３１：Ｙｅｓ）、ステップＳ２４へ進む。【００５２】
一方、ステップＳ３０でＸがＳＥ以下であれば（ステップＳ３０：Ｙｅｓ）、脈波判定手段１６は、脈波認定フラグＪの値が１であるか否かを判断する（ステップＳ３２）。図７に示す例では、Ｍ１０で示す線分が、ＸがＳＥ以下の場合である。Ｊの値が０であれば（ステップＳ３２：Ｎｏ）、脈波判定手段１６は、カウンタの値Ｃを０にして（ステップＳ３３）、ステップＳ６に戻る。Ｊの値が１であれば（ステップＳ３２：Ｙｅｓ）、このときの脈波高の最大値Ｈｍａｘをメモリに記憶する（ステップＳ３４）。このときのＨｍａｘが、今回の脈の脈波高となる。【００５３】
次いで、脈波判定手段１６は、脈波認定フラグＪ、減圧速度変更脈波フラグＦの値を０にし、初脈波フラグＦＷの値を１にする。また、脈波判定手段１６は、カウンタの値Ｃを０にし、メモリ（０）〜メモリ（５）をリセットする（ステップＳ３５）。次いで、血圧値決定手段１３は、周知の血圧決定アルゴリズムにより、血圧測定を行い、最高血圧値と最低血圧値を算出する（ステップＳ３６）。【００５４】
次いで、血圧値決定手段１３は、最低血圧値を算出できたか否かを判断する（ステップＳ３７）。最低血圧値を算出できない場合（ステップＳ３７：Ｎｏ）、ステップＳ６に戻る。最低血圧値を算出できた場合（ステップＳ３７：Ｙｅｓ）、血圧値決定手段１３は、表示手段５に最高血圧値と最低血圧値を表示し（ステップＳ３８）、血圧測定を終了する。【００５５】
なお、上述した実施の形態では、脈波成分の判定を行う際に、基準値の変更直後の１拍についてのみ、変更前の基準値を適用するとしたが、これに限らず、例えば、基準値の変更直後の所定時間についてのみ、変更前の基準値を適用するようにしてもよい。すなわち、脈波判定手段１６は、１拍以上の脈波を検出した後、基準値の設定が変更されたときは、その変更直後の所定時間についてのみ、変更前の基準値を適用する。【００５６】
この場合には、上述したフローチャートの説明において、ステップＳ１２に、脈波判定手段１６が減圧速度変更タイマの値ｔ２を０からスタートさせることが追加される。この減圧速度変更タイマは、マイコン７に設けられる。また、ステップＳ１７で、脈波判定手段１６は、減圧速度変更タイマの値ｔ２が所定の値Ａよりも小さく、かつ、初脈波フラグＦＷの値が１であるか否かを判断する。そして、脈波判定手段１６は、ｔ２がＡよりも小さく、かつ、ＦＷの値が１であれば（ステップＳ１７：Ｙｅｓ）、ステップＳ１８へ進み、ｔ２がＡ以上であるか、または、ＦＷの値が０であれば（ステップＳ１７：Ｎｏ）、ステップＳ１９へ進む。それ以外の各ステップの処理は、上述したとおりである。【００５７】
以上説明したように、実施の形態によれば、カフ圧変動速度算出手段１４により算出されたカフ圧の減圧速度に応じて基準値を変更するので、減圧速度を変化させたときに、それに伴い判定に用いる基準値が変更される。従って、脈波成分を正常に抽出できる。また、従来は、基準値の変更直後に脈波を検出できないことがあったが、基準値の変更直後の１拍または所定時間についてのみ、変更前の基準値を適用することにより、基準値の変更直後でも脈波を検出することができる。以上において本発明は、上述した実施の形態に限らず、種々変更可能である。例えば、カフ内の圧力を加圧する過程において脈波成分を抽出し、血圧を決定する電子血圧計であってもよい。
【産業上の利用可能性】
【００５８】
以上のように、本発明にかかる電子血圧計は、バンドパスフィルタを用いずに微小ノイズを除去する電子血圧計に有用であり、特に、所定時間離れて抽出されたカフ圧の差に基づいて脈波成分を検出する機能を有する電子血圧計に適している。
【図１】
2008102852.tif 000003
【図２】
2008102852.tif 000004
【図３】
2008102852.tif 000005
【図４】
2008102852.tif 000006
【図５】
2008102852.tif 000007
【図６】
2008102852.tif 000008
【図７】
2008102852.tif 000009
【国際調査報告】
2008102852.tif 000010
2008102852.tif 000011
2008102852.tif 000012
2008102852.tif 000013